(57)【要約】【課題】ディスクドライブ装置のディスク挿入用スロットが形成されているフロントパネル側とは反対側の外形デザインを角張った形状以外に形成し易くすること。【解決手段】ディスクドライブ装置１のフロントパネル３のディスク挿入用のスロット４から挿入されたディスクＤをクランパ１３によってターンテーブル６にクランプするクランプアーム１１を備え、該クランプアーム１１のシャーシ２への取付け部１１ａを左右一対の回動支点１２によってフロントパネル３側に配置したディスクドライブ装置。【選択図】図１
2008004147.tif 000002
【特許請求の範囲】
【請求項１】
フロントパネルのディスク挿入用スロットから挿入されたディスクをクランパによってターンテーブルにクランプするクランプアームを備え、
該クランプアームのシャーシへの取付け部を前記フロントパネル側に配置した
ことを特徴とするディスクドライブ装置。
【請求項２】
前記クランプアームの前記シャーシへの取付け部が前記ディスクの挿入経路を跨ぐほぼコ字状形状に形成され、
該取付け部が左右一対の回動支点によって前記シャーシに回動自在に枢支されている
ことを特徴とする請求項１に記載のディスクドライブ装置。
【請求項３】
前記クランプアームが前記クランパを前記ターンテーブルから離間させた時に、該クランパを前記ターンテーブルとほぼ平行な姿勢に矯正するクランパ姿勢矯正部を備えている
ことを特徴とする請求項１に記載のディスクドライブ装置。
【請求項４】
請求項１又は請求項２又は請求項３に記載のディスクドライブ装置が付設されている
ことを特徴とするディスクビデオカメラ。
【発明の詳細な説明】
【技術分野】
【０００１】
本発明は、ディスクに画像データ等の情報を記録再生するディスクドライブ装置と、そのディスクドライブ装置が付設されたディスクビデオカメラに関するものである。
【背景技術】
【０００２】
従来から、一般的なスロットインタイプのディスクドライブ装置は、図１８に示すように、フロントパネル１０１にディスク挿入用のスロット１０２を形成する一方、ディスクＤをターンテーブル１０３上にクランパ１０４によってクランプするクランプアーム１０５をフロントパネル１０１とは反対側（リヤパネル側）に配置している。
【０００３】
その際、クランプアーム１０５は通常、平面形状がほぼＴ型形状に形成されていて、小幅の先端部１０５ａで円形状のクランパ１０４を支持し、大幅の後端部１０５ｂの左右両端から下方へ平行状に折り曲げられた左右一対の支持部１０５ｃの下端をシャーシ１０６の後端部に左右一対の支点ピン１０７によって上下に回動自在に枢支している。
【０００４】
従って、従来の一般的なスロットインタイプのディスクドライブ装置は、前後両端の４隅の全てが角張った形状に形成されていた。
このため、特に、ディスクドライブ装置をビデオカメラに付設したディスクビデオカメラにあっては、ディスクドライブ装置のリヤパネル側の２つの角張ったコーナー部分に有効スペースを作り、外形デザインに生かすことができなかった。
つまり、ディスクドライブ装置のリヤパネル側の２つの角張ったコーナー部分がディスクビデオカメラのデザインを阻害する大きな要素となっていると言う問題があった。
【特許文献１】特開２００２−３０４７９９号公報
【０００５】
なお、現在市販されているディスクビデオカメラの多くは、ビデオカメラ本体の側面に設けられた円形状の開閉蓋をほぼ９０°に開いて、ディスクをターンテーブルに装填する構造であり、ディスクの脱着持の防塵性に欠けると言う問題があった。
【発明の開示】
【発明が解決しようとする課題】
【０００６】
本発明が解決しようとする課題は、ディスク挿入用のスロットが形成されているフロントパネルとは反対側であるリヤパネル側のコーナー部分に有効スペースを作り、外形デザインに生かすことができるディスクドライブ装置とディスクビデオカメラを提供することである。
【課題を解決するための手段】
【０００７】
本発明のディスクドライブ装置及びディスクビデオカメラは、フロントパネルのディスク挿入用スロットから挿入されたディスクをクランパによってターンテーブルにクランプするクランプアームを備え、該クランプアームのシャーシへの取付け部を前記フロントパネル側に配置したものである。
【発明の効果】
【０００８】
本発明のディスクドライブ装置及びディスクビデオカメラは、クランプアームのシャーシへの取付け部をフロントパネル側に配置したことにより、ディスクドライブ装置のフロントパネルとは反対側（リヤパネル側）の２つのコーナー部分に丸味等の有効スペースを作り易く、外形デザインに生かすことができる。
【発明を実施するための最良の形態】
【０００９】
以下に、本発明のディスクドライブ装置とディスクビデオカメラを実施するための最良の形態について説明する。
始めに、ディスクドライブ装置１を図１〜図１４によって説明する。
このディスクドライブ装置１は、例えば、直径８ｃｍのディスクＤに適用されたものであるが、勿論、直径１２ｃｍのディスク等に適用することも可能である。
【００１０】
このディスクドライブ装置１の水平状のシャーシ２の前端にフロントパネル３が垂直状に取り付けられていて、このフロントパネル３にディスク挿入用スロット４が水平状に形成されている。シャーシ２の上部に水平状に搭載されたメカデッキ５上で、シャーシ２のほぼ中央相当位置にはスピンドルモータ(図示を省略）によって回転駆動されるターンテーブル６が搭載され、このメカデッキ５上にはディスクＤにデータを記録、再生する光学ピックアップ(図示を省略）が搭載されている。
【００１１】
クランプアーム１１は幅が広い基部１１ａと、その基部１１ａの左右両端から下方へほぼ直角に屈曲された左右一対の取付け部１１ｂと、基部１１ａのほぼ中央部から後方へ延長されたアーム部１１ｃとを有している。従って、このフロントパネル１１は基部１１ａから左右一対の取付け部１１ｂにかけて角張った形のほぼコ字状に形成されていて、基部１１ａからアーム部１１ｃにかけてはほぼＴ字状に形成されている。
そして、このクランプアーム１１は左右一対の取付け部１１に設けられた左右一対の回動支点１２によってシャーシ２の左右両側部２ａで、フロントパネル３に最も近接された位置に上下方向(後述する矢印ｋ、ｍ方向)に回動自在に取り付けられている。このアーム部１１ｃの先端部分にクランパ１３が上下左右に一定の遊びを有する宙吊り状態に付設されている。
従って、このクランプアーム１１の基部１１ａ側は、後述するスロット４からディスクドライブ装置１内へのディスク挿入経路の上部をほぼコ字状に跨いでいることになる。
【００１２】
また、シャーシ２の上部で、クランプアーム１１より後方位置は水平状の上カバー１４によって覆われていて、この上カバー１４の前端側の中央部に形成された切欠き１４ａ内にクランパ１３が十分な遊びを有する状態に収容されている。この上カバー１４はシャーシ２の両側部２ａの上端や後端側に立ち上げられた複数のカバー支持部１５上にビス止めされてシャーシ２と平行な水平状に固定されている。そして、シャーシ２上で上カバー１４との間の空間部内に後述する３個のディスク挟持手段２２、２３、２４と、その駆動機構が収容されている。
そして、上カバー１４の切欠き１４ａ内のほぼ中央部にクランパ姿勢矯正部１６が一体に形成されている。
【００１３】
次に、このディスクドライブ装置１におけるディスクローディング機構２１を説明する。
このディスクローディング機構２１は、３個のディスク挟持手段２２、２３、２４と、その３個のディスク挟持手段２２、２３、２４を同期して駆動する１モータ構造の駆動機構２５とによって構成されていて、これらはシャーシ２上における上カバー１４との間で、ターンテーブル６の外周位置に組み込まれている。
【００１４】
そして、図１１の（Ａ）（Ｂ）、図１２の（Ａ）に示すように、３個のディスク挟持手段２２、２３、２４はターンテーブル６の外周のほぼ３等分位置に配置されている。これら３個のディスク挟持手段２２、２３、２４の内側対向面にはフロントパネル３のスロット４に対するディスクＤの引き込み及び押し出しを行うための水平ガイド２２ａ、２３ａ、２４ａがフロントパネル３のスロット４と同一高さに形成されている。また、これら３個のディスク挟持手段２２、２３、２４の内側対向面で、これらのディスク水平ガイド２２ａ、２３ａ、２４ａの下部にはディスクＤのターンテーブル６に対するローディング及びアンローディング(上下方向の脱着を言う)を行うための傾斜ガイド２２ｂ、２３ｂ、２４ｂが一体成形されている。
なお、フロントパネル３に最も近接して配置されているディスク挟持手段２２の水平ガイド２２ａはほぼ半円形状に形成され、その下部の傾斜ガイド２２ｂはほぼ円錐台形状に形成されている。
【００１５】
また、図１２の（Ｂ）に示すように、シャーシ２の一方の側部２ａの内側にもディスク誘導用ガイド２６が水平状に固着されていて、このディスク誘導用ガイド２６の内側には水平ガイド溝２６ａがフロントパネル３のスロット４と同一高さに形成されている。
そして、これら３個のディスク挟持手段２２、２３、２４及びディスク誘導ガイド２６はディスクＤに対する低摩擦部材、例えば合成樹脂にて成形されている。
【００１６】
次に、シャーシ２の上部に搭載された駆動機構２５は、スピンドルモータ等の扁平で水平な駆動モータ３１と、その駆動モータ３１によってギアトレイン３２を介して前後方向（ディスクＤの引き込み及び押し出し方向と平行な方向）である矢印ａ、ｂ方向へスライド駆動されるスライドカム３３と、そのスライドカム３３によって駆動されて、ディスク挟持手段２２を回動支点３４を中心にしてターンテーブル６の中心に対するほぼ放射線方向である矢印ｃ、ｄ方向へ回動駆動する回動アーム３５と、スライドカム３４によって変換リンク３６を介して駆動されて、ディスク挟持手段２３を回動支点３７を中心にしてターンテーブル６の中心に対するほぼ放射線方向である矢印ｅ、ｆ方向へ回動駆動する回動アーム３８と、その回動アーム３８に同期してディスク挟持手段２４を回動支点３９を中心にディスク挟持手段２４をターンテーブル６の中心に対するほぼ放射線方向である矢印ｇ、ｈ方向へ回動駆動する回動アーム４０とによって構成されている。
【００１７】
なお、この駆動機構２５では、例えばディスク挟持手段２３を回動支点３７を中心に矢印ｅ、ｆ方向へ強制的に回動駆動している。そして、他の２つのディスク挟持手段２２、２４についてはディスクＤの挟持解除方向である矢印ｃ、ｇ方向へは強制的に回動駆動し、ディスクＤの挟持方向である矢印ｄ、ｈ方向へは図示省略したコイルスプリング等のディスク挟持補助用ばねを介して回動駆動するように構成されている。
また、クランプアーム１１はスライドカム３３に同期して矢印ｉ、ｊ方向へスライド駆動されるもう１つのスライドカム４１によって左右一対の回動支点１２を中心としてターンテーブル６に対する上下方向である矢印ｋ、ｍ方向へ回動駆動されるように構成されている。また、このクランプアーム１１にはクランパ１３を矢印ｋ方向へ上昇付勢するためのばね手段(コイルスプリング等)４２がシャーシ２との間に付設されている。
【００１８】
ここで、このディスクドライブ装置１によるディスクＤのローディング及びアンローディング動作を説明する。
始めに、図１、図５、図７に示すように、ディスクＤのローディング開始前（スタンバイ状態）では、クランプアーム１１が左右一対の回動支点１２を中心に上昇位置まで矢印ｋ方向へ上昇されている。この時、クランパ１３のディスクローディング方向（矢印ｎ方向）側の端部が上カバー１４のクランパ姿勢矯正部１６に下方から押圧される。すると、クランプアーム１１が上昇位置まで矢印ｋ方向へ傾斜されているにも拘らず、クランパ１３の姿勢が水平に近づく方向へシーソー状に矯正されて、このクランパ１３のディスクイジェクト方向（矢印ｏ方向）の端部が最大限上方へ持ち上げられる。これにより、クランパ１３の矢印ｋ方向への最大上昇高さを小さくしても、クランパ１３の下部にディスクＤの挿入空間を確保することができて、ディスクドライブ装置１の超薄型化を実現することができる。
【００１９】
ここで、図１、図７に示すように、人手によってディスクＤがフロントパネル３のスロット４からディスクドライブ装置１の内部で、ターンテーブル６の下部へ矢印ｎ方向へ水平に挿入されると、そのディスクＤの外周Ｄａの１点がディスク誘導用ガイド２６の水平ガイド溝２６ａ内に水平に挿入されると共に、そのディスクＤの外周Ｄａのもう１点がディスク挟持手段２２の水平ガイド２２ａ上に水平に挿入される。
この時、そのディスク挟持手段２２の回動アーム３５が図示省略されているディスク挟持補助用ばねに抗して矢印ｃ方向へ逃がされ、その反力によってディスクＤがディスク誘導用ガイド２６の水平ガイド溝２６ａ内に押圧される。また、ディスクＤの外周Ｄａの残りの１点がディスク挟持手段２３の水平ガイド２３ａ上に挿入されて、ディスクＤの外周Ｄａの合計３点が水平支持される。
【００２０】
一方、例えば回動アーム３５の矢印ｃ方向への動きを検出するか、或いは、スロット４内へのディスクＤの矢印ｎ方向への挿入を検出する等のディスク挿入検出センサ（図示を省略）によって駆動機構の駆動モータ３１が正回転駆動される。
そして、人手によるディスクＤの矢印ｎ方向への挿入動作と連動するようにして、駆動モータ３１で駆動される回動アーム３５によってディスク挟持手段２２が図１、図７に示す位置から図２、図８に示す位置まで矢印ｄ方向へ回動駆動される。
この結果、ディスクＤがディスク挟持手段２２によってターンテーブル６の中心に向って矢印Ｐ１方向に送り込まれて、そのディスクＤの外周Ｄａの１点がディスク誘導用ガイド２６の水平ガイド溝２６ａ内からディスク挟持手段２４の水平ガイド２４ａ内に水平状に挿入される。
【００２１】
この時、図３、図９に示すように、合計３つのディスク挟持手段２２、２３、２４が図示省略されている補助用ばねによってディスクＤをターンテーブル６の中心に向って矢印Ｐ１、Ｐ２、Ｐ３方向へ押圧し、ディスクＤがターンテーブル６の上部位置で、そのターンテーブル６の中心上に自動的にセンターリングされる。
そして、これに引き続いて、クランプアーム１１が駆動モータ３１によって図１３の（Ａ）に示す上昇位置から下方（矢印ｍ方向）へ下降駆動されると共に、合計３つのディスク挟持手段２２、２３、２４が図１０に示すように、外方である矢印ｃ、ｅ、ｆ方向へ自動的に逃がされる。
【００２２】
すると、図１３の（Ｂ）、図１４の（Ａ）（Ｂ）に示すように、クランパ１３によってディスクＤが矢印ｍ方向へ押し下げられると共に、合計３つのディスク挟持手段２２、２３、２４がディスクＤの外周Ｄａから図２で示す矢印ｃ、ｅ、ｇ方向へ引き離される。
この結果、ディスクＤの外周Ｄａの３点が３つのディスク挟持手段２２、２３、２４の水平ガイド２２ａ、２３ａ、２４ａから相対的に引き抜かれて、これらの傾斜ガイド２２ｂ、２３ｂ、２４ｂによってガイドされつつ、水平状態のまま矢印ｍ方向へ下降（平行移動）される。
【００２３】
そして、図１４の（Ｂ）に示すように、３つのディスク挟持手段２２、２３、２４がディスクＤの外周Ｄａから完全に引き離されると同時に、ディスクＤがクランパ１３によってターンテーブル６上に水平状に装着されることになる。この際、ディスクＤは中心孔Ｈによってターンテーブル６の中心ボス６ａに嵌合されて、ターンテーブル６上に装着（チャッキング）される。
以上により、ディスクＤのローディングが完了する。そして、この後に、ディスク録画指令信号が入力されることによって、ディスクＤがターンテーブル（スピンドルモータ）６によって回転駆動され、光学ピックアップによってディスクＤに画像データ等の情報が記録、再生されることになる。
【００２４】
なお、ディスクＤのアンローディング動作は前述したローディング動作の逆動作となる。
即ち、始めに、駆動モータ３１によってクランプアーム１１が図４、図６、図１４ の（Ｂ）に示すクランプ位置から図１、図５、図１３の（Ａ）に示すクランプ解除位置まで矢印ｋ方向へ上昇駆動され、クランパ１３の外周Ｄａの一部が上カバー１４のクランパ姿勢矯正部１６に矢印ｋ方向から当接されて、クランパ１３がほぼ水平に近い姿勢に矯正される。
次に、駆動モータ３１によって合計３つのディスク挟持手段２２、２３、２４が図４、図１０、図１４の（Ｂ）に示す位置から図２、図７、図１３の（Ａ）まで矢印ｄ、ｆ、ｈ方向へ回動駆動される。
【００２５】
この際、３つのディスク挟持手段２２、２３、２４が図１０に示す位置から図９に示す位置まで矢印ｄ、ｆ、ｈ方向へ回動される間に、３つのディスク挟持手段２２、２３、２４の傾斜ガイド２２ｂ、２３ｂ、２４ｂによるカム作用によって、ディスクＤがターンテーブル６上から矢印ｋ方向へ平行運動によって離脱、上昇される。そして、ディスクＤの外周Ｄａが、３つのディスク挟持手段２２、２３、２４の水平ガイド２２ａ、２３ｂ、２４ｂ上まで上昇されて、ディスクＤが３つのディスク挟持手段２２、２３、２４間に水平に保持される。
【００２６】
この後、図７に示すように、３つのディスク挟持手段２２、２３、２４のうちのフロントパネル３のスロット３に最も近い位置のディスク挟持手段２２が矢印ｃ方向へ大きく逃げると共に、中間のディスク挟持手段２３が矢印ｆ方向へ大きく回動駆動される。すると、ディスクＤがディスク挟持手段２３による押し出し作用によって、矢印ｏ方向へ押し出される。
この際、ディスクＤの外周Ｄａの一側部がディスク誘導用ガイド２６の水平ガイド溝２６ａ内で誘導されると共に、ディスクＤの外周Ｄａの他側部が矢印ｄ方向へ回動復帰される前側のディスク挟持手段２２の水平ガイド２２ａによって誘導されることにより、ディスクＤがスロット４を通してフロントパネル３の外部へ矢印ｏ方向へ自動的に水平に排出される。そして、ディスク挿入センサによってディスクＤの排出が検出されて、駆動モータ３１は自動停止される。
【００２７】
ここで、以上のように構成及び動作されるこのディスクドライブ装置１の特徴を記載する。
このディスクドライブ装置１はクランプアーム１１のシャーシ２への取付け部１１ａを左右一対の回動支点１２によってフロントパネル側（フロントパネル３に近接された位置）１ａに配置している。これにより、シャーシ２、クランパアーム１１及び上カバー１４等によって形状が拘束され、外観に関して、フロントパネル側１ａは、平板形状のフロントパネル３自身によって左右両端が必然的に角張った形状にならざるを得ない。
他方、このディスクドライブ装置１のフロントパネル側１ａとは反対側（一般的に言う、リヤパネル側を意味する）１ｂは、クランプアーム１１の左右両端部が角張った形状の左右一対の取付け部１１ａの影響を受けることが皆無である。
【００２８】
この結果、このディスクドライブ装置１のフロントパネル３側とは反対側（リヤパネル側）１ｂの形状選択の自由度が非常に高くなる。
つまり、このディスクドライブ装置１のフロントパネル側１ａとは反対側１ｂの形状がフロントパネル３のように平面状で角張った形状に拘束されてしまうことの制約が無くなる。
従って、図５に示されるように、このディスクドライブ装置１のフロントパネル側１ａとは反対側１ｂの２つのコーナー部分Ｃ１に、丸味Ｒ１等の有効スペースを自由に創ることができ、このディスクドライブ装置１の外形デザインに生かすことができる優れた特徴がある。
【００２９】
次に、このディスクドライブ装置１は、フロントパネル３のスロット４から挿入されたディスクＤの外周Ｄａのほぼ３等分位置を３個のディスク挟持手段２２、２３、２４によって、この３方向から挟持することにより、ディスクＤをターンテーブル６上まで水平に引き込み、その後に、３個のディスク挟持手段２２、２３、２４によるディスクＤの挟持を解除することにより、ディスクＤを水平状態のまま垂直に下降してターンテーブル６上に上方から装着して、ディスクＤの記録、再生を行う。
また、ディスクＤの記録、再生後には、３個のディスク挟持手段２２、２３、２４でディスクＤの外周Ｄａを再び３方向から挟持することにより、ディスクＤをターンテーブル６から水平状態のまま上方へ垂直に離脱し、その後に、３個のディスク挟持手段２２、２３、２４でディスクＤをスロット４外へ水平に押し出すように構成している。
従って、ディスクＤのスロット４の内部への出し入れ及びターンテーブル６への脱着に関するディスクＤの一連のローディング及びアンローディングの動作を少ない部品点数で、簡単、かつ、スムーズに行うことができ、ディスクドライブ装置１の小型化、薄型化を促進することができる。
【００３０】
また、３個のディスク挟持手段２２、２３、２４の内側対向面に形成されている水平ガイド２２ａ、２３ａ、２４ａは、ディスクＤをフロントパネル３のスロット４に対して水平に出し入れする際に、ディスクＤの水平姿勢を安定して保つことができる。
更に、３個のディスク挟持手段２２、２３、２４の水平ガイド２２ａ、２３ａ、２４ａの下部に形成されている傾斜ガイド２２ｂ、２３ｂ、２４ｂは、ディスクＤの外周Ｄａを３方向から同時に挟持、挟持解除するだけで、ディスクＤをカム作用によってターンテーブル６の上下方向へスムーズに脱着することができる。
【００３１】
以上により、このディスクドライブ装置１によれば、３個のディスク挟持手段２２、２３、２４と、クランプアーム１１との合計４つの部材を１つの駆動モータ３１によって回動駆動することができる駆動機構２５を示したものである。そして、この駆動機構２５は構造が簡単であり、ディスクドライブ装置１の小型化、軽量化、薄型化を促進できる。特に、３個のディスク挟持手段２２、２３、２４を１つの駆動モータ３１によって回動駆動することができる駆動機構２５はディスクＤのスロット４の内部への出し入れ動作及びターンテーブル６への脱着動作をスムーズに行えるものである。
故に、構造が簡単で、小型、軽量、薄型で、高性能のディスクドライブ装置１を提供することができる。
【００３２】
次に、ディスクビデオカメラ５１を図１５〜図１７によって説明する。
始めに、図１０及び図１１に示すように、このディスクビデオカメラ５１は、カメラ本体５２の上端の前面に撮像レンズ５３が付設され、カメラ本体５２の上端の背面にビューファインダ５４が付設されている。また、カメラ本体５２の適所に録画ボタン５５（録再スイッチ）やグリップ把持バンド５６、その他のスイッチ類が付設されている。
【００３３】
そして、カメラ本体５２の側面にディスクドライブ装置収納部６１が垂直状で凸形に形成されていて、その内部に、図１〜図１４によって詳述したディスクドライブ装置１が垂直状に収納されている。但し、ディスクドライブ装置１のフロントパネル３は取り除かれて収納される。
この際、ディスクドライブ装置収納部６１内の後端側部分（ビューファインダ５４側）６１ａの内部にディスクドライブ装置１のフロントパネル３側が配置される。そして、ディスクドライブ装置収納部６１の前端側部分（撮像レンズ５３側）６１ｂの内部にディスクドライブ装置１のフロントパネル側とは反対側１ｂが配置される。
【００３４】
このことから、カメラ本体５２の側面に凸形に形成されているディスクドライブ装置収納部６１の前端側部分６１ｂには前述したディスクドライブ装置１のフロントパネル側とは反対側１ｂの外形デザインの特徴である丸味Ｒ１等の特徴を生かして、同様の丸味Ｒ２等を自由に形成することができる。
つまり、ディスクビデオカメラ５１のデザインの自由度が向上し、優れたデザインを創造することが可能になる。  
【００３５】
なお、ディスクドライブ装置収納部６１の後端側部分６１ａは内部に収容されるディスクドライブ装置１の平面形状のフロントパネル３に倣って平面状の垂直面となる。そして、この後端側部分６１ａにはディスクドライブ装置１のフロントパネル３に形成されていたスロット４と同様のディスク出し入れ用スロット６２が形成されている。
そして、ディスクドライブ装置収納部６１の後端側部分６１ａにはスロット６２を開閉する開閉蓋６３がヒンジ６４を介して例えば矢印ｒ、ｓで示した水平方向或いは矢印ｒ、ｓ方向に対する直角な垂直方向等に開閉自在に取り付けられている。
【００３６】
次に、図１７に示すように、ディスクドライブ装置収納部６１の後端側部分６１ａのスロット６２部分の防塵性の向上と、スロット６２を通してディスクＤをディスクドライブ装置１の内部へローディング・イジェクトする際のディスクＤの脱落防止との機能を備えた一対のシール部材（パッキング）６５、６６がスロット６２に付設されている。このシール部材６５、６６はゴムや軟質プラスチック等からなる弾性部材で構成されている。
【００３７】
このシール部材６５、６６はディスクドライブ装置収納部６１の後端側部分６１ａでスロット６２の両側にそれぞれ固着され、上下対向面６５ａ、６５ｂがスロット６２の中央部に沿って突き当てられている。これら一対のシール部材６５、６６の外面６５ｂ、６６ｂにはディスクＤを呼び込むためのテーパー形状の凹部６７が対向面６５ａ、６６ａに跨って形成されている。
また、シール部材６５、６６の内面６５ｃ、６６ｃにはスロット６２と平行で浅型形状の一対のスリット６８、６９が形成されている。
【００３８】
ここで、図１７によって、ディスクドライブ装置収納部６１のスロット６２でのディスクＤの出し入れ操作を説明する。
始めに、図１７の（Ａ）は、シール部材６５、６６の上下対向面６５ａ、６６ａが上下から相互に密着して、スロット６２が閉塞されている状態であり、内部のディスクドライブ装置１の防塵性が確保されている。
次に、図１７の（Ｂ）は、スロット６２内へのディスクＤの矢印ｍ方向への挿入時を示したものであり、この時、図１７の（Ａ）に１点鎖線で示すように、ディスクＤはシール部材６５、６６の凹部６７によってスロット６２へスムーズに誘導される。そして、矢印ｍ方向へ挿入されたディスクＤにより一対のシール部材６５、６６は一対のスリット６８、６９によって弾性に抗して内側(矢印ｔ方向)へスムーズに撓むことができる。従って、ディスクＤをスロット６２内に安全、かつ、スムーズに挿入することができる。
【００３９】
次に、図１７の（Ｃ)は、スロット６２外へのディスクＤの排出時を示したものであり、矢印ｏ方向へ排出されるディスクＤによって一対のシール部材６５、６６は一対のスリット６８、６９部分で外側(矢印ｕ方向)へ弾性に抗してスムーズに押し広げられながら排出される。その際、一対のシール部材６５、６６は矢印ｏ方向へ排出されるディスクＤを常に両側から弾性的に支持する。
従って、矢印ｏ方向へ排出されるディスクＤは常に一対のシール部材６５、６６で両側から弾性的に支持されることになり、ディスクＤがスロット６２外へ不用意に脱落されることを未然に防止することができ、安全性が高い。つまり、一対のシール部材６５、６６は、スロット６２の防塵用部材と、ディスク脱落防止部材に兼用されている。
【産業上の利用可能性】
【００４０】
以上、本発明を実施するための最良の形態に付き述べたが、本発明はこの最良の形態に限定されることなく、本発明の技術的思想に基づいて各種の変更が可能である。
例えば、本発明を実施するための最良の形態では、ディスクドライブ装置１のフロントパネルの反対側１ｂの２つのコーナー部分Ｃに丸味Ｒを形成したが、このフロントパネルの反対側１ｂ全体を１つの円形状（丸味）その他の非角形形状に形成することもできる。
限定されることなく、本発明の技術的思想に基づいて各種の変更が可能である。
【図面の簡単な説明】
【００４１】
【図１】本発明のディスクドライブ装置の内部機構を示した斜視図である。
【図２】同上のディスクドライブ装置のディスクの引き込み開始を示した斜視図であ    る。
【図３】同上のディスクドライブ装置のディスクの引き込み完了を示した斜視図であ    る。
【図４】同上のディスクドライブ装置のディスクのターンテーブルへの装着完了を示    した斜視図である。
【図５】同上のディスクドライブ装置の外観形状を示したものであって、ディスクの    引き込み開始の状態を示した斜視図である。
【図６】同上のディスクドライブ装置の外観形状を示したものであって、ディスクの    ターンテーブルへの装着完了を示した斜視図である。
【図７】同上のディスクドライブ装置のディスク挿入動作を説明する平面図である。
【図８】同上のディスクドライブ装置のディスク引き込み動作の開始を説明する平面    図である。
【図９】同上のディスクドライブ装置のディスク引き込み動作の終了を説明する平面    図である。
【図１０】同上のディスクドライブ装置のディスク引き込み動作の終了後のディスク    に対するディスク挟持手段の離脱を説明する平面図である。
【図１１】同上のディスクドライブ装置の２種類のディスク挟持手段を拡大して示し    た斜視図である。
【図１２】同上のディスクドライブ装置のもう１種類のディスク挟持手段とディスク    誘導ガイドを拡大して示した斜視図である。
【図１３】同上のディスクドライブ装置のターンテーブルへのディスク装着動作の初    期段階を説明する側面図である。
【図１４】同上のディスクドライブ装置のターンテーブルへのディスク装着動作の終    期段階を説明する側面図である。
【図１５】本発明のディスクビデオカメラの斜視図である。
【図１６】同上のディスクビデオカメラのディスクドライブ装置収納部の開閉蓋を開    放した状態の斜視図である。
【図１７】同上のディスクビデオカメラのディスクドライブ装置収納部のディスク出    し入れ用スロット部分を拡大して示し、そのスロット部分に付設されたシール部材の    機能を説明する拡大断面図である。
【図１８】ディスクドライブ装置の従来例を示した斜視図である。
【符号の説明】
【００４２】
１  ディスクドライブ装置、    １ａ  フロントパネル側、    １ｂ  フロントパネルの反対側、    ２  シャーシ、    ３  フロントパネル、    ４  ディスク出し入れ用スロット、    ６  ターンテーブル、    １１  クランプアーム、    １１ａ  クランプアームの取付け部、    １１ｂ  クランプアームのアーム部、    １２  回動支点、    １６  クランパ姿勢矯正部、    ２１  ディスクローディング機構、    ２２、２３、２４  ディスク挟持手段、    ２２ａ、２３ａ、２４ａ  ディスク挟持手段の水平ガイド、
２２ｂ、２３ｂ、２４ｂ  ディスク挟持手段の傾斜ガイド、    ２５  駆動機構、    ２６  ディスク誘導用ガイド、    ３１  駆動機構の駆動モータ、    ５１  ディスクビデオカメラ、    ５２  カメラ本体、    ６１  ディスクドライブ装置収納部、    ６１ａ  ディスクドライブ装置収納部の後端側部分、    ６１ｂ  ディスクドライブ装置収納部の前端側部分、    ６２  ディスクドライブ装置収納部のディスク出し入れ用スロット、  ６５、６６  シール部材。
【図１】
2008004147.tif 000003
【図２】
2008004147.tif 000004
【図３】
2008004147.tif 000005
【図４】
2008004147.tif 000006
【図５】
2008004147.tif 000007
【図６】
2008004147.tif 000008
【図７】
2008004147.tif 000009
【図８】
2008004147.tif 000010
【図９】
2008004147.tif 000011
【図１０】
2008004147.tif 000012
【図１１】
2008004147.tif 000013
【図１２】
2008004147.tif 000014
【図１３】
2008004147.tif 000015
【図１４】
2008004147.tif 000016
【図１５】
2008004147.tif 000017
【図１６】
2008004147.tif 000018
【図１７】
2008004147.tif 000019
【図１８】
2008004147.tif 000020